(57)【要約】【課題】軒樋の下方を物干しやブラインドの設置場所として有効に利用でき、物干し竿等を使用しない時は邪魔にならないように軒下に収納できるようにした係止具付き軒樋吊具を提供する。【解決手段】軒樋吊具の取付板の下側に連結部を形成し、該連結部に、少なくとも１個の開孔を有する平板状の係止具が回動自在に取り付けられていることを特徴とする係止具付き軒樋吊具によって提供する。この係止具付き軒樋吊具を用いれば、係止具の開孔に物干し竿を挿すか、ブラインド又は簾を取り付けることができる。また、軒樋の設置時に比較的容易に取り付け可能であり、使用しない時には、軒下の目立たないところに収納しておけるので、建物の美観を損ねることがない。【選択図】図１
2010094412.tif 000002
【特許請求の範囲】
【請求項１】
軒樋吊具の取付板の下側に連結部を形成し、該連結部に、少なくとも１個の開孔又はフックを有する平板状の係止具が回動自在に取り付けられていることを特徴とする係止具付き軒樋吊具。
【発明の詳細な説明】
【技術分野】
【０００１】
本発明は、係止具付き軒樋吊具に関し、更に詳しくは、軒樋の下方を物干しやブラインドの設置場所として有効に利用でき、物干し竿等を使用しない時は邪魔にならないように軒下に収納できるようにした係止具付き軒樋吊具に関する。
【背景技術】
【０００２】
一般の家庭では、洗濯物を家屋の前庭・裏庭やベランダの空間等に干している。そして、洗濯物を干す場合は、一対の物干し台を設置し、そのアームに物干し竿を水平に渡して洗濯物を吊るしている。
【０００３】
物干し台は、ベース（重し）として、例えば重さが２０〜３０ｋｇである四角錐形状のコンクリート製の脚台を使用し、その脚台上面の中央にアルミニウム合金製などの縦竿（支柱）を差込み、縦竿の上端部にアームと竿受け金具を取り付けている。その後、この物干し台２つを間隔が５〜６ｍ位空くように設置してから、両方の竿受け金具の上にアルミニウム合金製等の物干し竿を差し渡している。
【０００４】
都市化の進行とともに一戸建て家屋では洗濯物を干せる場所が少なくなり、狭くなった庭に上記の物干し台を設置すると、大きな脚台の上でアームや縦杆が常に突き出しているので、庭の利用空間を一層狭くしてしまう。
【０００５】
また、マンションやアパートでは、ベランダが洗濯物の主な乾燥場所とされているが、ベランダで物干しするには、腰壁がＲＣ（鉄筋コンクリート）の場合はＲＣアンカー、ＡＬＣ（軽量気泡コンクリート）の場合はケミカルアンカー等を打設し、物干し竿がボルト・ナットにて固定されることが多く、アルミ製等の手摺の支柱に直接ボルト・ナット、及びビスを使用して固定されることもある。しかし、腰壁にアンカーボルト用の孔を穿つ事や、手摺の支柱に固定用ボルトの孔及びビス孔を穿つことは、建物の設計時に耐久性や安全性を考慮して行われるもので、勝手に腰壁や手摺に物干し用支柱の固定用孔を穿つことはできない。
従って、マンション等においては、ベランダを当初設計施工されたとおりの画一的な使い方しかできないし、物干し具の新設や増設は、専門の工事業者に依頼しなくてはならなかった。
【０００６】
この問題を解決するために、特許文献１には、物干し具本体とこれを支持体に取り付ける取付具からなり、取付具をＬ形取付具と圧着部材と固定部材から構成し、Ｌ形取付具の基部に設けられた圧着部材と固定部材の当接部により支持体を挟着するようにした物干し具が提案されている。
【０００７】
これにより、ベランダの壁状の手摺に物干し竿を比較的容易に取り付けられるが、取り付け後はベランダの面積が狭くなるので、洗濯物を干すのに支障をきたし、ベランダに物置が置いてある場合は、収納品を出し入れするときに邪魔になるので、物置の位置を変えなければならなくなる。また、ベランダに盆栽を置いたり草花や植えている場合は、水や肥料の供給や剪定作業時に邪魔になったりする。
【０００８】
一方、軒先には直射日光を遮るために、しばしばブラインドが使用されるが、マンション等においては、軒下に手ごろな突起などがないために、その取り付けに手間がかかっていた。特許文献２には、軒先部に伸縮自在なブラインド状の竪樋を装備して成る雨樋構造が提案されており、常時存在している雨樋を雨が降らない時にはブラインドのようにして軒先部の上部に縮めて、建物の外観デザインを改善できるようにしている。
【０００９】
しかしながら、これは雨樋自体の考案であって、その面積は小さいからブラインドの代わりにはならないし、これを利用して物干し竿を取り付けることもできない。
【００１０】
このような状況下、ベランダに物干し台を置かず、竪竿を直接にベランダの壁や、フェンスの格子や手摺に取り付けることもなくして、屋根の軒先を有効利用できるようになり、ベランダに物置がある場合に邪魔にならず、ベランダで草花や盆栽がある場合は、水・肥料の供給や剪定作業が容易であり、しかもブラインドや簾も取り付けられる器具が必要とされている。
【特許文献１】特開２００１−１７７９１号公報
【特許文献２】実開平２−１０１９２５号公報
【発明の開示】
【発明が解決しようとする課題】
【００１１】
本発明の課題は、従来技術の問題点に鑑み、軒樋の下方を物干しやブラインドの設置場所として有効に利用でき、物干し竿等を使用しない時は邪魔にならないように軒下に収納できるようにした係止具付き軒樋吊具を提供することにある。
【課題を解決するための手段】
【００１２】
本発明者は、上記課題を解決するために鋭意研究を重ねた結果、軒樋吊具の取付板の下側に連結部を形成して特定の係止具を取り付け、その係止具が連結部で回転して軒樋の下方に位置したときに、物干し竿を挿したり、ブラインド等を吊るせるようにし、それらを使用しない時は軒下に収納できるようにした。
【００１３】
すなわち、本発明によれば、軒樋吊具の取付板の下側に連結部を形成し、該連結部に、少なくとも１個の開孔を有する平板状の係止具が回動自在に取り付けられていることを特徴とする係止具付き軒樋吊具が提供される。
【００１４】
また、本発明には、次の実施態様が包含される。
（１）前記係止具が、常時は軒樋吊具の後方又は側面に収納されており、使用時に係止具の尾部が軒樋の下方に位置すること。
（２）隣り合う軒樋吊具のそれぞれを前記係止具付き軒樋吊具とし、その係止具に物干し竿を挿すこと。
（３）隣り合う軒樋吊具のそれぞれを前記係止具付き軒樋吊具とし、その係止具にブラインド又は簾を吊り下げること。
【発明の効果】
【００１５】
本発明の係止具付き軒樋吊具によれば、従来のような物干し台を使用しなくてすむので、それを構成する脚台、アーム、縦杆によって占有されていた床及びその付近の空間が自由になる。
また、本発明係止具付き軒樋吊具は、軒樋の設置時に容易に取り付けられ、物干し竿を使用しない時には、軒下の目立たないところに収納しておけるので、建物の美観を損ねることがない。
更に、本発明の係止具付き軒樋吊具には、物干し竿を挿すだけでなく、ブラインドや簾を吊り下げることもでき、軒樋吊具の付加価値が高まる。
【発明を実施するための最良の形態】
【００１６】
以下、本発明の係止具付き軒樋吊具について、図面を参照しながら、詳細に説明する。図１は本発明の係止具付き軒樋吊具を示しており、（Ａ）は軒樋に装着し連結部で回転して係止具を下ろした状態の側面図、（Ｂ）はその正面図である。
【００１７】
図２は、連結部と係止具との連結部分を拡大した状態を示しており、連結部と係止具の薄肉部分をピンで連結する場合（Ａ）、連結部と係止具の幅広方向をピンで連結する場合（Ｂ）、また、連結部と係止具を蝶番で連結する場合（Ｃ）である。図３は、図１に示した本発明の係止具付き軒樋吊具を軒樋に装着し、連結部で係止具を回転させて尾部を下ろした状態の側面図（Ａ）、係止具に物干し竿を挿している状態の正面図（Ｂ）である。
【００１８】
図４は、本発明の係止具付き軒樋吊具であるが、係止具の孔の向きが図１とは９０°異なるように軒樋に装着し、連結部で係止具を回転させて尾部を下ろした状態の側面図（Ａ）、係止具を軒に収納した状態の側面図（Ｂ）（Ｃ）、また、係止具の開孔にブラインドを取り付けている状態の正面図（Ｄ）である。
更に、図５は、図４に関連し、係止具の開孔にブラインドの上端を吊り下げ、下端をベランダのスノコに固定した状態の側面図である。
【００１９】
本発明の係止具付き軒樋吊具が適用される軒樋は、断面が略Ｕ形状の長尺物１個又は複数個ほど連続させて、屋根からの雨水又は雪を受け入れるため軒に平行に設置されている。軒樋には、雨水を早く集めるために、１／１０００程度の水勾配が付けられることが多い。
【００２０】
これまで軒樋の下方は、自由な空間になっており、有効利用されていない。もし物干し具を軒樋自体に取り付けることができれば、軒樋の下部空間が利用できるようになるが、樋の構造上の理由で不可能である。
【００２１】
本発明では、図１に示すように、軒樋を軒鼻隠し板に固定する軒樋吊具の取付板３３の下側に連結部５を形成し、該連結部５に、少なくとも１個の開孔を有する平板状の係止具６を取り付け、該連結部５で係止具６の頭部６２と結合している。
【００２２】
連結部５の形状は、軒樋吊具の取付板３３と係止具６の頭部を連結できれば、形状によって制限されない。上端が軒樋吊具の取付板と同程度の幅をもち、軒樋吊具の取付板の下から軒下方向に延在した状態になった板状体が好ましく、図１では略逆三角形としている。連結部５の長さは、軒板の高さにもよるが、５〜３０ｃｍとし、係止具との連結部分を１〜３ｃｍ程度確保することが望ましい。
【００２３】
連結部５の材料は、特に制限されるわけではないが、係止具に物干し竿などの荷重がかかるので、軒樋吊具の取付板３３と同じく、アルミニウム、ステンレス鋼、鉄鋼、チタニウム、真鍮等が好ましい。連結部の上端と軒樋吊具の取付板とは、例えば、溶接、ネジやビスでの固定、嵌合のいずれかで取付板３３と合体される。連結部の頭部を取付板よりも一回り大きくしておき、軒壁と取付板との間に入れて壁に一緒に固定することもできる。
【００２４】
連結部は、このように軒樋吊具の取付板とは別個に製造して組み立ててもよいが、軒樋吊具の取付板を製作するときに一体化した部材、すなわち連結部付き取付板としてもよい。
【００２５】
本発明において係止具は、物干し竿を把持したり、ブラインドなどを吊るすための部材であり、その材料は、アルミニウム、ステンレス鋼、鉄鋼、チタニウムなどの金属のほか、プラスチックも使用できる。係止具の機能は、物干し竿やブラインドなどの保持にあるから、軽量なアルミニウム合金やプラスチックが好ましい。
プラスチックとしては、塩化ビニル、ポリエチレン、ポリプロピレン、ポリスチレン、ポリアミド、ポリカーボネート、ポリエステルやエンジニアリングプラスチック等が挙げられる。樹脂には、安定剤や着色剤、さらにはガラス繊維やワラストナイトなどの充填剤を配合してもよい。また、十分な強度をもち耐久性があれば、木材あるいは竹材を用いても良い。
【００２６】
係止具は、平板状や棒状の本体に、孔、又はフックが形成されているものである。本発明においては、軒樋吊具の取付板と連結部がともに板状体であるので、係止具としては、例えば厚さが１〜３ｃｍ、幅が３〜１０ｃｍ、長さが１０〜４０ｃｍの平板状のものが好ましい。この厚さであれば、強度を維持しながら、内部に物干し竿を受け入れることができ、この長さであれば、収納状態から容易に引き出せ、しかも目障りにはならない。
【００２７】
開孔またはフックの数も１以上あればよく、図では５個示したが、これに限定されない。孔やフックの溝は物干し竿の直径よりも若干大きく、開孔形状は円形のほか楕円形、四角形などの多角形であってもよい。また、孔やフックの位置も限定されず、強い風が吹いた時にも、物干し竿が係止具本体から外れなければよい。
【００２８】
連結部５の下部と係止具６の頭部６２は、係止具６が回転可能なように連結軸５１で結合される。図２に連結の様子を示しているが、連結軸５１は、ピン又はネジであり、両端が外れないように固定される。
【００２９】
連結軸は、連結部５の下部で係止具６を回転できるものであればよく、例えば、図２の（Ａ）、（Ｂ）に示すピン継手、図２の（Ｃ）に示すちょうつがい（蝶番）などが使用可能である。
【００３０】
本発明において、係止具６は、常時は軒樋吊具３の後方又は側面に収納されており、使用時に係止具６の尾部が軒樋の下方に位置することが望ましい。したがって、係止具の回転角度は６０〜９０°程度が好ましい。ただし、回転角度が４５〜１８０°の範囲になるようにして、係止具を例えば１２０°の角度でクロスして止められるロック機能を持たせることもできる。
【００３１】
連結軸５１は連結部５の２個所に設けることができる。すなわち、図２の（Ｄ）に示すように、上記連結軸５１であるピン継手、あるいは蝶番よりも若干上に、さらに回転ジョイント（ユニバーサル  カップリングともいう）５２を設けることができる。
【００３２】
本発明の係止具付き軒樋吊具には、次の二つの機能を有している。物干し竿を挿す物干し機能（タイプ１）とブラインドや簾を吊るすという日よけ機能（タイプ２）である。いずれの機能も係止具の尾部を軒樋の下方に位置させた状態で達成されるが、機能によって連結部と係止具６の連結の仕方が異なり、軒樋に対する係止具６の孔の向きが違っている。
【００３３】
まずタイプ１は、図３のように係止具６の孔の向きが軒樋の長手方向に対して平行となる方向に連結されるものである。これは、物干し竿７を水平に安定して把持できるので、物干しに適したものである。
【００３４】
これに対して、タイプ２では、図４のように係止具６の孔の向きが軒樋の長手方向に対して直角となる方向に連結される。これは、物干し竿を平行に固定できないが、孔に園芸用ポールを挿したり、ブラインド９や簾を吊るすことができる。
【００３５】
連結軸５１としては、前記の通り、係止具を９０°回転させるピン継手、あるいは蝶番のほかに、その位置よりも若干上に回転ジョイント（ユニバーサル  カップリング）５２を設けることが好ましい。これにより、取付板３３と連結部５の繋ぎ部がボールジョイントとして回転するから、タイプ１とタイプ２を兼用できるようになり、使い勝手がさらに向上する。
【実施例】
【００３６】
次に、本発明の係止具付き軒樋吊具を軒樋に取り付ける方法をより具体的に説明するが、本発明はこの実施例に限定されるものではない。
【００３７】
まず、軒樋吊具３を軒鼻隠し板に取り付けるための真ちゅう製の取付板３３と、長さ１５ｃｍ、幅６ｃｍ、厚さ１．５ｃｍで逆三角形のアルミニウム合金製の板状連結部５と、長さ３０ｃｍ、幅６ｃｍ、厚さ１．５ｃｍのアルミニウム合金製の平板状係止具６を用意した。取付板３３の下端と連結部５の上端は溶接により結合した。
【００３８】
そして、連結部５の下部と係止具６の頭部とを、図１（Ｂ）に示すように、ピン（連結軸）５１で回転可能なように連結した。この係止具６を取り付けるに際し、連結軸５１を中心として、係止具６の先端を下向きに回転させると、係止具の孔６１が軒樋の長手方向に対して平行になるようにした。次に、上記取付板３３のフランジに穿設された固定孔に軒鼻隠し板２を合せてビス止めし固定した。
【００３９】
次に、装着された取付板３３にブラケットで軒樋４を取り付けることにより、軒樋の施工を完了した。そして、係止具６は、軒樋吊具の後方に収納した。
【００４０】
その後、係止具６の先端（尾部）を下から引っ張って連結軸で回転させ、係止具６が地面に対して垂直になるようにした。このとき係止具６の軌跡は円弧となるので、円弧のどの位置においても、隣り合う係止具６の孔に物干し竿を挿すと、高さの違いはあるものの、軒樋の長手方向と平行になる。
係止具は、ベランダ床面から２．５ｍの高さの空間に納まり、従来のベランダの床面に設置するタイプの物干し台と比較し、ベランダの床面が広く使え、ベランダにおける移動や作業が楽になった。
【００４１】
ところで、係止具６の取り付けに際し、前記と異なり、係止具６の孔が軒樋の長手方向に対して垂直、すなわち図４（Ｄ）に示すように正面を向くようにすることもできる。こうすると隣の軒樋吊具に取り付けられた係止具６の孔と平行にならないので、物干し竿を挿し渡すことはできない。しかし、図６に示すようにガラス戸１１の手前にブラインド９を立てかけ、その上縁を係止具６の開孔に固定し、下縁をベランダのスノコ１０に固定することができる。ベランダでは、通常、簡単にブラインドや簾は取り付けられないが、本発明の係止具付き軒樋吊具を予め設置しておけばブラインドや簾を吊るしやすくなる。
【００４２】
また、例えば、朝顔、ゴーヤ、ひょうたん、キョウリを栽培するときの植物のつるが巻きつく園芸用ポールを斜めに設置したい場合にも利用できる。
【００４３】
以上、本発明の実施例を図面により詳述したが、具体的な構成はこの実施例に限られるものではなく、本発明の要旨を逸脱しない範囲における設計の変更等があっても本発明に含まれる。
すなわち、本発明の係止具付き軒樋吊具は、その係止具に物干し竿を取り付けて洗濯物を乾燥したり、ブラインドや簾を取付けて直射日光を遮るだけでなく、他の目的にも使用できる。例えば、係止具を各種機器、器具を載置する架台の取り付けに利用し、太陽光発電パネル、太陽光温水器、草花の植木鉢、イルミネーション、広告表示版、防犯センサー、防犯ブザー、霧発生器、アンテナ、防虫剤噴霧器、カラス追放音波・光波発生器などを設置することができる。
【図面の簡単な説明】
【００４４】
【図１】本発明の係止具付き軒樋吊具を示しており、軒樋吊具の取付板に装着し連結部で回転して係止具を下ろした状態の側面図（Ａ）、正面図（Ｂ）である。
【図２】連結部と係止具との連結部分を拡大した状態を示しており、連結部と係止具の薄肉部分をピンで連結する場合（Ａ）、連結部と係止具の肉厚部分をピンで連結する場合（Ｂ）、また、連結部と係止具を蝶番で連結する場合（Ｃ）である。また、（Ｄ）は、連結軸５１であるピン継手、あるいは蝶番よりも上部に、さらに回転ジョイント（ユニバーサル  カップリングともいう）５２を設けた場合を示している。
【図３】図１に示した本発明の係止具付き軒樋吊具を取付板に装着し、連結部で回転して係止具を下ろした状態の側面図（Ａ）、係止具の開孔に物干し竿を挿している状態の正面図（Ｂ）である。
【図４】本発明の係止具付き軒樋吊具であるが、係止具の孔の角度を変えて係止具を取付板に装着し、連結部で回転して係止具を下ろした状態の側面図（Ａ）、係止具を軒下後方に収納した状態の側面図（Ｂ）（Ｃ）、また、係止具の開孔にブラインドを取り付けている状態の正面図（Ｄ）である。
【図５】本発明の係止具付き軒樋吊具において、係止具の孔にブラインドの上端を取り付け、下端をベランダのスノコに固定した側面図である。
【符号の説明】
【００４５】
１      軒屋根
２      軒鼻隠し板
３      軒樋吊具（ブラケット）
３３    取付板
４      軒樋
５      連結部
５１    連結軸（ピン）
５２    連結軸（回転ジョイント）
６      係止具
６１    竿受け孔
６２    係止具の頭部
７      物干し竿
８      蝶番（ヒンジ）
９      ブラインド
１０    ベランダの床面
１０１  ベランダのフェンス
１１    ガラス戸
【図１】
2010094412.tif 000003
【図２】
2010094412.tif 000004
【図３】
2010094412.tif 000005
【図４】
2010094412.tif 000006
【図５】
2010094412.tif 000007